(57)【要約】【課題】１台のアクセスポイントと同時通信が可能なステーションの台数を確保し、消費電力を削減し、安定した通信品質を確保する。【解決手段】無線端末装置１００において、受信部１０５は、無線ローカルエリアネットワークの待ち受け状態において、無線ローカルエリアネットワークのアクセスポイントからのビーコンを受信し、通信状態においては、通信相手からの通信パケットを受信し、マルチパスフェージング比較部１０８は、当面のビーコンの受信電界と、前回のビーコンの受信電界との差分が第１の閾値以上である場合、または、当面の通信パケットの受信電界と、前回の通信パケットの受信電界との差分が第２の閾値以上である場合には、フェージングが大きいと判定し、再送回数設定部１０９は、フェージングが大きいほど再送回数の上限値をより大きく設定する。【選択図】図１
2009038677.tif 000002
【特許請求の範囲】
【請求項１】
無線ローカルエリアネットワークの待ち受け状態において、無線ローカルエリアネットワークのアクセスポイントからのビーコンを受信する受信手段と、
前記ビーコンの受信電界を検出する第１検出手段と、
前記ビーコンの受信電界と、前回のビーコンの受信電界との差分である第１差分を算出し、前記第１差分が第１の閾値以上である場合には、フェージングが大きいと判定し、前記第１差分が第１の閾値より小さい場合には、フェージングが小さいと判定する判定手段と、
前記判定手段においてフェージングが大きいと判定した場合には、再送回数の上限値をより大きく設定し、前記判定手段においてフェージングが小さいと判定した場合には、再送回数の上限値をより小さく設定する設定手段と、
を具備する無線端末装置。
【請求項２】
前記受信手段は、
通信状態においては、通信相手からの通信パケットを受信し、
前記通信パケットの受信電界を検出する第２検出手段、
をさらに具備し、
前記判定手段は、
通信状態においては、前記通信パケットの受信電界と、前回の通信パケットの受信電界との差分である第２差分を算出し、前記第２差分が第２の閾値以上である場合には、フェージングが大きいと判定し、前記第２差分が第２の閾値より小さい場合には、フェージングが小さいと判定する、
請求項１記載の無線端末装置。
【請求項３】
無線ローカルエリアネットワークの待ち受け状態においては、無線ローカルエリアネットワークのアクセスポイントからのビーコンを受信するステップと、
前記ビーコンの受信電界を検出するステップと、
前記ビーコンの受信電界と、前回のビーコンの受信電界との差分である第１差分を算出するステップと、
前記第１差分が第１の閾値以上である場合には、フェージングが大きいと判定し、前記第１差分が第１の閾値より小さい場合には、フェージングが小さいと判定するステップと、
を具備し、
通信状態においては、通信相手からの通信パケットを受信するステップと、
前記通信パケットの受信電界を検出するステップと、
前記通信パケットの受信電界と、前回の通信パケットの受信電界との差分である第２差分を算出するステップと、
前記第２差分が第２の閾値以上である場合には、フェージングが大きいと判定し、前記第２差分が第２の閾値より小さい場合には、フェージングが小さいと判定するステップと、
を具備し、
さらに、前記待ち受け状態と、前記通信状態とにおいて、フェージングが大きい場合には、再送回数の上限値をより大きく設定し、フェージングが小さい場合には、再送回数の上限値をより小さく設定するステップと、
を具備する再送方法。
【発明の詳細な説明】
【技術分野】
【０００１】
本発明は、無線ローカルエリアネットワーク（ＬＡＮ：Local Area Network）に用いられる無線端末装置および再送方法に関する。
【背景技術】
【０００２】
現在、無線ＬＡＮについては８０２．１１ｂの伝送速度１１Ｍｂｐｓ、８０２．１１ａおよび８０２．１１ｇの最大伝送速度５４Ｍｂｐｓが制定されており、対応製品が市販されるようになった。このことから、低価格の無線ＬＡＮが普及し、個人ユーザーが無線ＬＡＮを構築するケースが急増し、無線ＬＡＮの普及が一気に進んだ。今では企業等の業務用途だけでなく、個人の家庭内ネットワークとしても広く使われるようになった。
【０００３】
無線ＬＡＮの基本的な利用方法としてはインフラストラクチャモードおよびアドホックモードの２種類がある。前者のインフラストラクチャモードにおいて、無線ＬＡＮは、携帯電話の無線基地局に相当するアクセスポイントと端末（ステーション）との間を無線接続させる。後者のアドホックモードにおいて、無線ＬＡＮは、アクセスポイントを介せずに複数の端末を直接相互接続させる。
【０００４】
無線ＬＡＮはライセンス不要な帯域であるＩＳＭ(Industrial Science and Medicine)帯域を使用するため、伝送誤りが特に多発する。無線ＬＡＮは、例え、狭帯域伝送をおこなっても雑音や干渉の影響を受けやすい。よって、無線ＬＡＮは、電子レンジや他の無線送信機器からの電波を考慮する必要がある。また、雑音に加えてマルチパスフェージングによるデットポイントに端末が入ると、フレームが送信できなくなる。
【０００５】
８０２．１１においては、伝送誤りに対処するために肯定応答（ＡＣＫ：ACKnowledge Character）方式の再送を行う。肯定応答方式の再送において、受信側は、送信側から送信されたすべてのフレームに対してＡＣＫを返す必要がある。このすべてのフレームに対してＡＣＫを返す全てのステップが成功すれば動作完了とみなされ、そうでなければすべての動作が失敗したとみなされる。すなわち、データフレームの送信元がＡＣＫを受信しなければ、フレームは消失したと見なされる。送信元は、データフレームが最初の伝送中に失われたか、またはＡＣＫが伝送中に失われたのかに係わらず、ＡＣＫを受信できない場合には、同一のデータフレームを再送信する。
【０００６】
無線ＬＡＮにおいては、１台のアクセスポイントに対して所定のステーションが基本動作（上記記載シーケンス）を行っている間、他のステーションが現在使用中のステーションの基本動作を邪魔しないように通信を抑制し衝突を回避する。
【０００７】
データフレームの伝送誤りに対する検出と訂正は、基本フレームの交換を開始したステーション側、すなわち送信ステーションにおいて行われる。伝送誤りは送信ステーションにおいて検出されなくてはならない。例えば、送信ステーションは受信ステーションからＡＣＫが返らないことによって誤りを検出する。送信ステーションは誤りを検出するとフレームを再送する。
【０００８】
送信ステーションは、フレームの再送をカウントするための再送カウンタを備えており、フレームが再送されるたびに再送カウンタを１増加させる。再送カウンタは、各フレームまたは各フラグメント毎に設けられる。また、再送カウンタは、ショートフレーム再送カウンタとロングフレームカウンタとの２種類に分類されることができる。
【０００９】
無線ＬＡＮは再送によって信頼性を確保している。フレームを送信したステーションは、アクセスポイントあるいは受信ステーションからＡＣＫを受け取らないと、フレームの送信が失敗したと判断する。失敗した送信は再送カウンタを１増加させる。再送回数が所定の上限値に達するとステーションはそのフレームの送信をあきらめ、プロトコルの上位層にその旨を伝える。
【特許文献１】特開２００４−８８１５４号公報
【発明の開示】
【発明が解決しようとする課題】
【００１０】
無線ＬＡＮにおいては、アクセスポイント１台に対してステーションを複数接続することが可能である。特に家庭内においては、アクセスポイント１台に対して音声通話（ＶｏＩＰ：Voice Over Internet Protocol）が可能なステーションを同時に２台以上確保することが求められる。これは、安定した電界状態においては可能である。
【００１１】
しかし、音声通話中にアクセスポイントとステーションとの電界レベルが下がって、弱電界状態になると、アクセスポイントあるいはステーションはデータフレームを受け取ることができなくなる。例えば、アクセスポイントがステーションから送信されるデータフレームを受け取ることができなかった場合、アクセスポイントはＡＣＫを返すことができなくなる。そして、ステーション側はアクセスポイントからＡＣＫから返らなかったため、先程送信したデータフレームを再送する。なお、失敗した送信は再送カウンタを１増加させる。再送回数が所定の上限値に達するとステーションはそのフレームの送信をあきらめ、プロトコルの上位層にその旨を伝える。
【００１２】
従来では再送回数の上限値が固定であるため、ステーション側はＡＣＫを受けるまで、最大で上限値の回数分データフレームを再送する。このようにデータフレームを再送することにより、アクセスポイントと所定の１台のステーションとの間での通信が帯域を占有してしまう。例えば、弱電界状態またはフェージング環境下においてはアクセスポイントと所定の１台のステーションが共に再送を行ってしまうと、音声通信帯域が占有されてしまう。その結果、アクセスポイント１台に対して同時音声通話が可能であるステーションの台数が確保されないことになる。特に、通常音声データフレームを２０ｍｓの間隔で送信している音声通信であるＶｏＩＰにおいて、帯域が占用されると正常な通話を行うことができなくなる。
【００１３】
また、無線ＬＡＮにおいて再送機能を設けるもう１つの理由はフェージングによる影響を抑え、安定した接続を確保するためである。
【００１４】
しかし、従来ではフェージングの影響が大きい場合でも小さい場合でもＡＣＫが取れないと所定の再送回数分だけ再送を行う。例えば、フェージングの影響が小さい環境下において、アクセスポイントとステーションとが通話可能電界レベル以上の場合には、再送回数を上げてもＡＣＫが取れる可能性は少ない。すなわち、再送回数を上げても、アクセスポイントと１台のステーションとの間の通信による帯域の占有時間が増えるだけで、パケット送信が成功する可能性は少ない。また、ステーションとアクセスポイントとが再送を繰り返すことにより、双方の送受信時の消費電力が増加してしまう。
【００１５】
本発明の目的は、無線ＬＡＮにおいてアクセスポイントへの同時音声通話可能なステーションの台数を確保すると共に、アクセスポイントとステーションとの双方の消費電力を削減することができる無線端末装置および再送方法を提供することである。
【課題を解決するための手段】
【００１６】
本発明の無線端末装置は、無線ローカルエリアネットワークの待ち受け状態において、無線ローカルエリアネットワークのアクセスポイントからのビーコンを受信する受信手段と、前記ビーコンの受信電界を検出する第１検出手段と、前記ビーコンの受信電界と、前回のビーコンの受信電界との差分である第１差分を算出し、前記第１差分が第１の閾値以上である場合には、フェージングが大きいと判定し、前記第１差分が第１の閾値より小さい場合には、フェージングが小さいと判定する判定手段と、前記判定手段においてフェージングが大きいと判定した場合には、再送回数の上限値をより大きく設定し、前記判定手段においてフェージングが小さいと判定した場合には、再送回数の上限値をより小さく設定する設定手段と、を具備する構成を採る。
【００１７】
本発明の再送方法は、無線ローカルエリアネットワークの待ち受け状態においては、無線ローカルエリアネットワークのアクセスポイントからのビーコンを受信するステップと、前記ビーコンの受信電界を検出するステップと、前記ビーコンの受信電界と、前回のビーコンの受信電界との差分である第１差分を算出するステップと、前記第１差分が第１の閾値以上である場合には、フェージングが大きいと判定し、前記第１差分が第１の閾値より小さい場合には、フェージングが小さいと判定するステップと、を有し、通信状態においては、通信相手からの通信パケットを受信するステップと、前記通信パケットの受信電界を検出するステップと、前記通信パケットの受信電界と、前回の通信パケットの受信電界との差分である第２差分を算出するステップと、前記第２差分が第２の閾値以上である場合には、フェージングが大きいと判定し、前記第２差分が第２の閾値より小さい場合には、フェージングが小さいと判定するステップと、を有し、さらに、前記待ち受け状態と、前記通信状態とにおいて、フェージングが大きい場合には、再送回数の上限値をより大きく設定し、フェージングが小さい場合には、再送回数の上限値をより小さく設定するステップと、を有するようにした。
【発明の効果】
【００１８】
本発明によれば、無線ＬＡＮにおいてフェージングが大きい場合には再送回数の上限値をより大きく設定し、フェージングが小さい場合には再送回数の上限値をより小さく設定することにより、アクセスポイントへの同時音声通話可能なステーションの台数を確保すると共に、通信品質を向上することができ、また、アクセスポイントとステーションとの双方の消費電力を削減することができる。
【発明を実施するための最良の形態】
【００１９】
以下、本発明の実施の形態について、図面を参照して詳細に説明する。
【００２０】
図１は、本発明の一実施の形態に係る無線端末装置（ステーション）１００の構成を示すブロック図である。
【００２１】
図１において、無線端末装置１００は、アンテナ１０１、フィルタ１０２、切替部１０３、送信部１０４、受信部１０５、マルチパスフェージングビーコン検出部１０６、通信パケット検出部１０７、マルチパスフェージング比較部１０８、再送回数設定部１０９、および電源部１１０を備える。そのうち、フィルタ１０２、切替部１０３、送信部１０４、および受信部１０５は、無線ＬＡＮ無線部１５０を構成し、マルチパスフェージングビーコン検出部１０６、通信パケット検出部１０７、マルチパスフェージング比較部１０８、および再送回数設定部１０９は、無線ＬＡＮ制御部１６０を構成する。
【００２２】
アンテナ１０１は、無線ＬＡＮ通信方式の信号を受信して、フィルタ１０２を介し切替部１０３へ出力する。また、アンテナ１０１は、フィルタ１０２を介し切替部１０３から入力される無線ＬＡＮ通信方式の送信信号を送信する。
【００２３】
フィルタ１０２は、アンテナ１０１から入力される受信信号から不要な波を除去して切替部１０３へ出力する。また、フィルタ１０２は、切替部１０３から入力される送信信号のうち高調波等の不要な波を除去してアンテナ１０１へ出力する。
【００２４】
切替部１０３は、アンテナ１０１から入力される受信信号の受信部１０５への出力と、送信部１０４から入力される送信信号のアンテナ１０１への出力とを切り替える。
【００２５】
送信部１０４は、無線ＬＡＮ制御部１６０から入力される送信信号をベースバンド周波数から無線周波数にアップコンバートして切替部１０３へ出力する。
【００２６】
受信部１０５は、切替部１０３から入力される受信信号を無線周波数からベースバンド周波数にダウンコンバートして無線ＬＡＮ制御部１６０へ出力する。
【００２７】
電源部１１０は、無線ＬＡＮ無線部１５０および無線ＬＡＮ制御部１６０に電力を供給する。
【００２８】
無線ＬＡＮ制御部１６０は、電源部１１０から電力が供給されることにより起動する。無線ＬＡＮ制御部１６０は、起動後に、受信部１０５が受信したアクセスポイントまたは通信相手端末からのビーコン信号に基づき、無線セルの存在を判定する。インフラモードにおいて、アクセスポイントは、周期的にビーコンを送信して無線セルの存在をステーションに知らせる役割をもつ。一方、無線ＬＡＮ制御部１６０において、起動後に、通信相手端末が送信したビーコンを受信部１０５が受信すると、トラフィック発生通知メッセージ(Announcement Traffic Indication Message：以下「ＡＴＩＭ」と称す)信号を生成して、送信部１０４へ出力する。
【００２９】
また、インフラストラクチャモードにおいて、アクセスポイントはビーコン信号を周期的に送信することで、ＢＳＳ（アクセスポイントとステーションとで構成されるＩＥＥＥ８０２．１１のネットワーク）を構築する。アクセスポイントは設定された周期でビーコンを送信する。ビーコンの送信周期は「dot1 Beacon Period」というパラメータに設定される。市販されている装置は、ビーコンの送信周期が１００ｍｓの値になっているものが多い。無線端末装置１００が送信信号を送信した後に、受信部１０５がＡＴＩＭ信号に対するＡＣＫを受信すると、無線ＬＡＮ制御部１６０は、無線端末装置１００が送った送信信号を相手先が正常に受信したと判断する。そして、無線ＬＡＮ制御部１６０は、送信部１０４が次の通信パケットデータを送信するように制御する。
【００３０】
次に、無線ＬＡＮ制御部１６０を構成する各部について説明する。
【００３１】
マルチパスフェージングビーコン検出部１０６は、無線ＬＡＮシステムの待受け状態中に動作し、受信部１０５によってビーコンの送信周期ごとに受信したビーコンの受信電界レベルを検出する。マルチパスフェージングビーコン検出部１０６は、検出したビーコンの受信電界レベルを前回受信したビーコンの受信電界レベルと比較して、両者の受信電界レベルの差を算出する。
【００３２】
通信パケット検出部１０７は、無線ＬＡＮシステムの通信状態中に動作し、受信部１０５によって受信した、アクセスポイントからの通信パケット受信電界レベルを検出する。ここで、通信パケット検出部１０７は、所定の回数分、例えば５回分の通信パケットの受信電界レベルを検出し、これらのレベルの平均値を算出する。
【００３３】
マルチパスフェージング比較部１０８は、無線ＬＡＮシステムが待受け状態である際には、マルチパスフェージングビーコン検出部１０６において得られたビーコンの受信電界レベルの差を所定の閾値と比較する。また、マルチパスフェージング比較部１０８は、無線ＬＡＮシステムが通信状態である際には、通信パケット検出部１０７において得られた通信パケットの受信電界レベルの平均値と、直後のビーコンの受信電界レベルとの差分を求め、この差分を所定の閾値と比較する。
【００３４】
再送回数設定部１０９は、マルチパスフェージング比較部１０８において閾値以上であるという比較結果が得られた場合には、再送回数の上限値を増加させ、マルチパスフェージング比較部１０８において閾値より小さいという比較結果が得られた場合には、再送回数の上限値を減少させる。再送回数設定部１０９は、設定した再送回数の上限値を送信部１０４へ出力する。
【００３５】
家庭内における無線ＬＡＮ通信においては、アクセスポイント１台に対して複数のステーションが接続され、同時通信可能なステーションを確保する必要がある。
【００３６】
図２は、安定した電界（例えば、家庭内環境）のＶｏＩＰ通信におけるアクセスポイントとステーションとの通信状態を示す図である。具体的には、図２（Ａ）は、アクセスポイントの通信状態を示し、図２（Ｂ）は、ステーション１の通信状態を示し、図２（Ｃ）は、ステーション２の通信状態を示す。
【００３７】
ＶｏＩＰでは２０ｍｓ毎のデータのやり取りを行い、各２０ｍｓの時間内に以下の動作を行う。安定電界状態において、ステーション１から通信パケットデータＳ１をアクセスポイントへ送信した際に、アクセスポイントは、通信パケットデータＳ１を正常に受信するため、ステーション１に対してＡＣＫを送信する。また、アクセスポイントは、ステーション１に対して通信パケットデータＡＳ１を送信する。ステーション１は通信パケットデータＡＳ１を正常に受信すると、アクセスポイントへＡＣＫを送信する。また、アクセスポイントは、各ステーションに対してビーコンを周期的送信する。ここまでは、１台のアクセスポイントと１台のステーションとの間の通信における一連の基本動作である。図２は、アクセスポイント１台に対してステーション１とステーション２とが同時通話を行う場合の様子を示している。ここで、アクセスポイントとステーション２との間の通信の基本動作は、アクセスポイントとステーション１との間の通信の基本動作と同様である。ステーション１およびステーション２それぞれは、ＶｏＩＰ通信時間２０ｍｓの単位でアクセスポイントと通信を行う。
【００３８】
図３は、通信状態が弱電界レベルである場合のアクセスポイントとステーションとの動作を示す図である。
【００３９】
一般的に、ステーションとアクセスポイントとは通話距離が離れた時に弱電界状態に陥る。弱電界状態において、ステーション１から通信パケットデータＳ１をアクセスポイントへ送出した際に、アクセスポイントは通信パケットＳ１を正常に受信できないためステーション１に対してＡＣＫを送信しない。無線ＬＡＮの基本動作として、ステーション１は、ＡＣＫを受信できない場合には通信パケットＳ１を再送する。ステーション１は、ＡＣＫがとれるまであらかじめ設定された回数分の再送を繰り返す。よって、ＶｏＩＰ時の２０ｍｓの間で上記の再送が行われると、ステーション１とアクセスポイントとの通信によって安定電界状態時よりも通信帯域が占有されてしまう。また、再送と同時にビーコンも送信されるため、占有帯域がさらに広くなる。従って、ステーション２を接続する際には帯域が確保されないため、ステーション２とアクセスポイントとの通信が厳しい状態となる。
【００４０】
再送を行うことにより、マルチパスフェージングに対して安定した接続が確保されるという効果が得られる。歩行を想定したシミュレーションにおいて、マルチパスフェージングに対する再送の効果を図４に示す。
【００４１】
図４に示すように、基本的にフェージングの増大に伴って再送回数の上限値を大きく設定することにより、より良い通信品質が得られる。以下、屋内と屋外との場合を比較して説明する。屋内および屋外についてはフェージング状態に差が生じる。屋内においては歩行によるフェージングや建物によるフェージングの影響が少ない（例えば、図４に示す「Ａ区間」参照）。しかし、屋外で無線ＬＡＮ通信を行う際には、歩行しながらの通信状態が多く存在し、また建物によるフェージングの影響が大きくなる。よって、フェージングの環境に応じた再送回数の上限値を設定することにより、屋内のアクセスポイント１台に対する同時通話可能なステーションの台数を２台以上確保することができる。一方、フェージングの影響が小さい環境において再送回数の上限値を必要以上に大きく設定すると、再送による帯域の占有、および消費電力の増加が生じる（例えば、図４に示す「Ｂ区間」参照）。また、屋外については、フェージングの増大に伴って再送回数の上限値を大きく設定することにより、マルチパスフェージングによる影響を抑えることが可能になり、安定した通信を確保することができる（例えば、図４に示す「Ｃ区間」参照）。
【００４２】
図５は、無線ＬＡＮの待ち受け状態において、ステーションがマルチパスフェージング状態に応じて再送回数の上限値を決める手順を示すフロー図である。
【００４３】
まず、無線ＬＡＮは、起動した後、待ち受け状態になる（ＳＴ５０１０）。次いで、ステーションは、アクセスポイントから送信されたビーコン（例えば１０個）の受信電界レベルを検出する（ＳＴ５０２０）。次いで、ステーションは、前回のビーコンの受信電界レベルと当面のビーコンの受信電界レベルとの差、すなわち、ＲＳＳＩ（前）に対するＲＳＳＩ（現）の変動量を算出する（ＳＴ５０３０）。次いで、ステーションは、ＳＴ５０３０において算出した変動量を所定の閾値と比較する。すなわち、｜ＲＳＳＩ（前）−ＲＳＳＩ（現）｜≧ＲＳＳＩ（Ｆ）であるか否かを判断する。これによりフェージングの影響が大きいか否かを判定する。ここでＲＳＳＩ（Ｆ）は所定の閾値を示す（ＳＴ５０４０）。
【００４４】
ＳＴ５０４０において、歩行速度は約８Ｈｚであると想定し、ビーコン送出間隔である１００ｍｓ（１０Ｈｚ）をフェージング間隔と見なす。よって、前回のビーコンと当面のビーコンの受信電界レベルとの差分が大きい場合にはフェージングの影響が大きいと判断し、差分が小さい時はフェージングの影響が少ないと判断する。
【００４５】
図６は、ＳＴ５０３０およびＳＴ５０４０における、フェージングの大きさの判断処理を例示する図である。ステーションは、まず、ビーコン１とビーコン２との受信電界レベルの差、すなわち変動量を算出する。次いで、ステーションは、このビーコン変動量とフェージング閾値との比較を行う。同様にビーコン２とビーコン３との受信電界レベルの変動量、およびその後の隣接する２つずつのビーコンの受信電界レベルの変動量を算出する。このように、算出した１０個の変動量のうち、フェージング閾値を超える個数が設定した個数以上であれば、フェージングによる影響が大きいと判断する。一方、フェージング閾値を超える個数が設定した個数より小さければ、フェージングによる影響が小さいと判断する。
【００４６】
再び図５に戻って、ＳＴ５０４０において「ＹＥＳ」の判定結果を得た場合、ステーションは、より大きいフェージングに対応する再送回数の上限値を設定する（ＳＴ５０５０）。次いで、ステーションは、より大きいフェージングに対応する再送回数の上限値を用いて通信を行う（ＳＴ５０６０）。一方、ＳＴ５０４０において「ＮＯ」の判定結果を得た場合、ステーションはより小さいフェージングに対応する再送回数の上限値を設定する（ＳＴ５０７０）。次いで、ステーションは、より小さいフェージングに対応する再送回数の上限値を用いて通信を行う（ＳＴ５０８０）。
【００４７】
図７は、無線ＬＡＮの通信状態において、ステーションがマルチパスフェージング状態に応じて再送回数の上限値を決める手順を示すフロー図である。
【００４８】
まず、無線ＬＡＮが起動した後、ステーションは通信を行う（ＳＴ６０１０）。次いで、ステーションは、通信パケット（例えば５パケット）の受信電界レベル、すなわちＲＳＳＩ（Ｐ）を検出する（ＳＴ６０２０）。次いで、ステーションは、ＲＳＳＩ（Ｐ）の平均値ＲＳＳＩ（Ａｖｅ）を算出する（ＳＴ６０３０）。次いで、ステーションは、ＳＴ６０３０において算出した平均値と最新のビーコンの受信電界レベルとの差を所定の閾値と比較する。すなわち、｜ＲＳＳＩ（Ａｖｅ）−ＲＳＳＩ（ｂｅａｃｏｎ）｜≧ＲＳＳＩ（Ｆ）であるか否かを判断する。これによりフェージングの影響が大きいか否かを判定する。ここで、ＲＳＳＩ（ｂｅａｃｏｎ）は最新のビーコンの受信電界レベルを示し、ＲＳＳＩ（Ｆ）は所定の閾値を示す（ＳＴ６０４０）。
【００４９】
図８は、ＳＴ６０３０およびＳＴ６０４０における、フェージングの大きさの判断処理を例示する図である。この例において、ステーションは、まず、通信中のアクセスポイントからの５個の通信パケットの平均受信電界レベルを算出する。この例において、算出された平均受信電界レベルは−６２ｄＢｍである。また、ステーションは、算出した平均受信電界レベルとその直後のビーコンの受信電界レベル（この例においては−３０ｄＢｍ）との差（この例においては３２ｄＢｍ）を算出する。平均受信電界レベルと直後のビーコンの受信電界レベルとの差（３２ｄＢｍ）をフェージング閾値（この例においては２０ｄＢｍ）と比較し、閾値より大きい場合にはフェージングの影響が大きいと判断し、そうでない場合には、フェージングの影響が小さいと判断する。
【００５０】
再び図７に戻って、ＳＴ６０４０において「ＹＥＳ」の判断結果を得た場合、ステーションはより大きいフェージングに対応する再送回数の上限値を設定する（ＳＴ６０５０）。次いで、ステーションは、より大きいフェージングに対応する再送回数の上限値を用いて通信を行う（ＳＴ６０６０）。一方、ＳＴ６０４０において「ＮＯ」の判断結果を得た場合、ステーションはより小さいフェージングに対応する再送回数の上限値を設定する（ＳＴ６０７０）。次いで、ステーションは、より小さいフェージングに対応する再送回数の上限値を用いて通信を行う（ＳＴ６０８０）。
【００５１】
このように、本実施の形態によれば、無線ＬＡＮの待ち受け状態および通信状態においてビーコンを用いてフェージングの大きさを検出し、検出したフェージング状態に応じて再送回数の上限値を設定する。従って、フェージングの影響が小さい場合には再送回数の上限値を減らすことで１台のアクセスポイントと同時通信が可能なステーションの台数を確保することができる。また、通信品質の向上が図れない再送の回数を減らすことによりステーションの消費電力を削減することができる。一方、フェージングが大きい場合には、再送回数を増やすことにより屋外などにおいて安定した通信品質を確保することができる。
【産業上の利用可能性】
【００５２】
本発明に係る無線端末装置および再送方法は、セルラネットワークおよび無線ＬＡＮの両方と通信を行うことが可能な無線端末装置の用途に適用することができる。
【図面の簡単な説明】
【００５３】
【図１】本発明の一実施の形態に係る無線端末装置の構成を示すブロック図
【図２】本発明の一実施の形態に係る安定した電界のＶｏＩＰ通信におけるアクセスポイントとステーションとの通信状態を示す図
【図３】本発明の一実施の形態に係る通信状態が弱電界レベルである場合のアクセスポイントとステーションとの動作を示す図
【図４】本発明の一実施の形態に係る歩行を想定したシミュレーションにおいて、マルチパスフェージングによる再送の効果を示す図
【図５】本発明の一実施の形態に係る無線ＬＡＮの待ち受け状態において、ステーションがマルチパスフェージング状態に応じて再送回数の上限値を決める手順を示すフロー図
【図６】本発明の一実施の形態に係るフェージングの大きさの判断処理を例示する図
【図７】本発明の一実施の形態に係る無線ＬＡＮの通信状態において、ステーションがマルチパスフェージング状態に応じて再送回数の上限値を決める手順を示すフロー図
【図８】本発明の一実施の形態に係るフェージングの大きさの判断処理を例示する図
【符号の説明】
【００５４】
１００  無線端末装置
１０１  アンテナ
１０２  フィルタ
１０３  切替部
１０４  送信部
１０５  受信部
１０６  マルチパスフェージングビーコン検出部
１０７  通信パケット検出部
１０８  マルチパスフェージング比較部
１０９  再送回数設定部
１１０  電源部
１５０  無線ＬＡＮ無線部
１６０  無線ＬＡＮ制御部
【図１】
2009038677.tif 000003
【図２】
2009038677.tif 000004
【図３】
2009038677.tif 000005
【図４】
2009038677.tif 000006
【図５】
2009038677.tif 000007
【図６】
2009038677.tif 000008
【図７】
2009038677.tif 000009
【図８】
2009038677.tif 000010